(57)【要約】【課題】  路面からの熱放射の影響を小さくすることのできる乳母車および乳母車用部品を提供する。【解決手段】  乳母車の座席の下に取り付けられる物品収納かご２０は、前側壁２１と、底壁２２と、後側壁２３と、左右側壁とを備える。前側壁２１の外面、底壁２２の外面および後側壁２３の外面は、それぞれ、熱反射表面２４を有している。【選択図】      図３
2005280447.tif 000002
【特許請求の範囲】
【請求項１】
乳母車に取り付けられて使用されるものであり、路面に向く面が熱反射表面を有している、乳母車用部品。
【請求項２】
当該部品が乳母車の座席の下に取り付けられる物品収納かごであり、この物品収納かごの少なくとも底壁の外面が熱反射表面を有している、請求項１に記載の乳母車用部品。
【請求項３】
当該部品が乳母車の座席の下に取り付けられる物品収納かごであり、
前記物品収納かごは、底壁と、前側壁と、後側壁と、左右側壁とを備えており、
前記前側壁の外面、底壁の外面および後側壁の外面が、それぞれ、熱反射表面を有している、請求項１に記載の乳母車用部品。
【請求項４】
当該部品が乳母車の車体に取り付けられて座席を形成する座席ハンモックであり、この座席ハンモック裏面が熱反射表面を有している、請求項１に記載の乳母車用部品。
【請求項５】
当該部品が乳母車の車体に取り付けられる座席ハンモックの芯材であり、この芯材の裏面が熱反射表面を有している、請求項１に記載の乳母車用部品。
【請求項６】
座席の裏に熱反射面を有する乳母車。
【請求項７】
座席を形成する車体フレームの裏に熱反射シートを設けている、請求項６に記載の乳母車。
【発明の詳細な説明】
【技術分野】
【０００１】
この発明は、路面からの熱放射の影響を子供に及ぼさないようにすることのできる乳母車および乳母車用部品に関するものである。
【背景技術】
【０００２】
本願の出願人が調査したところによると、夏で天気の良い日の午後２時頃にアスファルト路面上で乳母車をベッド状の形態にして押している場合、路面からの熱放射の影響で乳児の顔位置の温度は、気象台発表の気温よりも５．５度も高い３６．４℃になった。この温度は、乳母車を押している大人の顔の位置よりも３．５度高かった。乳母車を停止すると、乳児の顔位置の温度はさらに高温になり、大人の顔位置の温度との差は４度を超えた。
【０００３】
座席内の子供に対して快適な環境を与えるためには、路面からの熱放射の影響を極力小さくすることが必要である。
【０００４】
実用新案登録第３０６２９１７号公報（特許文献１）は、乳幼児を路面からの熱線放射等による熱から保護することのできるベビーカー用防暑具を開示している。具体的には、この防暑具は、ベビーカーのシート部等の形状と略同形状の外形を有しており、密封された袋状容器と、この袋状容器に充填された蓄冷材とを備える。防暑具は乳母車の座席形成部材と子供の身体との間に置かれ、子供の身体が熱くなるのを防止する。
【特許文献１】実用新案登録第３０６２９１７号公報
【発明の開示】
【発明が解決しようとする課題】
【０００５】
実用新案登録第３０６２９１７号公報に開示された防暑具では、蓄冷材により子供の周りの空気を冷やすものである。そのため、外気温がそれ程高くない日に防暑具を使用すると、子供の身体が冷えすぎてしまう可能性がある。そのような事態を避けるために、外気温や天候を見て、防暑具を取り付けたり、取り外したりすることが必要になる。そのような取り付け、取り外し作業は煩雑である。
【０００６】
また、外気温が高い日に防暑具を取り付けていた場合でも、乳母車が日陰や屋内に入ったとき子供の身体は蓄冷材により過度に冷やされてしまう。そのため、日陰や屋内に入ったとき、防暑具を取り外す必要がある。
【０００７】
この発明の目的は、煩雑な作業をすることなく、路面からの熱放射の影響を小さくすることのできる乳母車および乳母車用部品を提供することである。
【課題を解決するための手段】
【０００８】
この発明に従った乳母車用部品は、乳母車に取り付けられて使用されるものであり、路面に向く面が熱反射表面を有している。熱反射表面は路面からの放射熱を反射するので、乳母車用部品の温度が過度に上昇するのを防止できる。
【０００９】
乳母車用部品の一つの例は、乳母車の座席の下に取り付けられる物品収納かごであり、この物品収納かごの少なくとも底壁の外面が熱反射表面を有している。
【００１０】
物品収納かごの底壁は路面に近接して対面しているので、路面からの放射熱の影響を最も大きく受ける。物品収納かごが路面からの放射熱によって高温に加熱されると、物品収納かごから発せられる熱気によって乳母車の座席の温度が上昇してしまう。物品収納かごの底壁外面が熱反射表面を有していれば、路面からの放射熱を反射するので、上記のような座席の過度な温度上昇を防ぐことができる。
【００１１】
物品収納かごが、底壁と、前側壁と、後側壁と、左右側壁とを備えている場合、好ましくは、前側壁の外面、底壁の外面および後側壁の外面が、それぞれ、熱反射表面を有している。
【００１２】
乳母車用部品の他の例は、乳母車の車体に取り付けられて座席を形成する座席ハンモックであり、この座席ハンモック裏面が熱反射表面を有している。この構成によれば、座席ハンモック裏面の熱反射表面が路面からの放射熱を反射するので、座席の過度な温度上昇を防ぐことができる。
【００１３】
乳母車用部品のさらに他の例は、乳母車の車体に取り付けられる座席ハンモックの芯材であり、この芯材の裏面が熱反射表面を有している。この構成によれば、芯材裏面の熱反射表面が路面からの放射熱を反射するので、座席の過度な温度上昇を防ぐことができる。
【００１４】
この発明に従った乳母車は、座席の裏に熱反射面を有する。この構成によれば、座席裏の熱反射面が路面からの放射熱を反射するので、座席の過度な温度上昇を防ぐことができる。一つの実施形態では、座席を形成する車体フレームの裏に熱反射シートを設けている。
【発明を実施するための最良の形態】
【００１５】
図１に示す乳母車１は、座席の下に反射面を有している。具体的には、乳母車１は、車体フレームの内、座席を形成する座席フレーム２の裏に熱反射シート３を備えている。熱反射シート３は、路面に対面し、路面からの放射熱を反射するので、座席が過度に温度上昇するのを抑制できる。熱反射シート３の材質としては、路面からの放射熱を反射できるようなものであればどのようなものでもよい。
【００１６】
背もたれ部がほぼ水平状態にまで後傾してベッド状の形態になり得る座席を備えた乳母車の場合、ベッド状態において背もたれ部は路面に対面する。この場合、背もたれ部が路面からの放射熱によって加熱されるおそれがあるので、好ましくは、背もたれ部を形成する背もたれフレームの裏に熱反射面を設ける。
【００１７】
図２に示す実施形態では、乳母車の車体に取り付けられて座席を形成する座席ハンモック１０が、その裏面に熱反射表面１１を有している。座席ハンモック１０は、座部と背もたれ部とを含み、熱反射表面１１は、好ましくは、座部および背もたれ部の裏面に形成される。背もたれ部の後傾角度がそれ程大きくなく、ベッド状の形態にならない乳母車の場合には、座席ハンモック１０の座部の裏面にのみ熱反射表面を形成するようにしてもよい。
【００１８】
熱反射表面１１の形成方法として、座席ハンモック１０の裏面に熱反射シートを貼着してもよいし、座席ハンモック１０の裏面を形成する縫製部材の繊維に熱反射性素材を用いるようにしてもよい。
【００１９】
座席ハンモックが芯材を備える場合、この芯材の裏面に熱反射表面を形成するようにしてもよい。芯材が座部芯材および背もたれ芯材を含む場合、好ましくは、座部芯材および背もたれ芯材の裏面に熱反射表面を形成する。
【００２０】
図３に示す実施形態では、乳母車の座席の下に取り付けられる物品収納かご２０が、熱反射表面２４を有している。具体的に説明すると、物品収納かご２０は、前側壁２１と、底壁２２と、後側壁２３と、左右側壁とを備えており、前側壁２１の外面、底壁２２の外面、および後側壁２３の外面が、熱反射表面２４を有している。
【００２１】
物品収納かご２０の底壁２２は、路面に近接して対面するので、路面からの放射熱の影響を最も大きく受け、高温に加熱され易い。底壁２２の加熱により物品収納かご２０の温度が過度に上昇すると、物品収納かご２０から発せられる熱気によって乳母車の座席の温度が上昇してしまう。底壁２２の外面の熱反射表面２４は、路面からの放射熱を反射するので、上記のような座席の温度上昇を抑制できる。
【００２２】
物品収納かご２０の熱反射効果を高めるために、好ましくは図３に示すように、底壁２２の外面に加えて、前側壁２１の外面および後側壁２３の外面にも熱反射表面２４を形成する。また、物品収納かごの左右側壁の外面に熱反射表面を形成するようにしてもよい。
【００２３】
熱反射表面２４を形成する方法として、物品収納かご２０の前側壁２１、底壁２２および後側壁２３の外面に熱反射シートを貼着してもよいし、あるいは、物品収納かご２２の前側壁２１、底壁２２および後側壁２３を形成する縫製部材の繊維に熱反射性素材を用いるようにしてもよい。
【００２４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２５】
この発明は、路面からの熱放射を抑制できる乳母車として有利に利用され得る。
【図面の簡単な説明】
【００２６】
【図１】乳母車の車体フレームを図解的に示す側面図である。
【図２】座席ハンモックを備えた乳母車を図解的に示す側面図である。
【図３】物品収納かごを備えた乳母車を図解的に示す側面図である。
【符号の説明】
【００２７】
１  乳母車、２  座席フレーム、３  熱反射シート、１０  座席ハンモック、１１  熱反射表面、２０  物品収納かご、２１  前側壁、２２  底壁、２３  後側壁、２４  熱反射表面。
【図１】
2005280447.tif 000003
【図２】
2005280447.tif 000004
【図３】
2005280447.tif 000005